(57)【要約】【課題】ベランダ等に簡便に装備することができ、日光や人目からの遮蔽性に優れるとともに風通しもよく、外部の人のベランダ等への侵入を躊躇させることができるソフトフェンスに用いられるフェンス素材を提供する。【解決手段】本発明に係るフェンス素材10は、ベランダ、テラス、バルコニーの手すり50の上部に設けられ互いに連接して張設可能なシート状の樹脂製又は布製のフェンス素材であって、点列又は散在する通気孔と縁部に設けられた連接用孔とを有し、前記連接用孔にはその縁補強部が設けられている。【選択図】図１
2014201869.tif 000002
【特許請求の範囲】
【請求項１】
ベランダ、テラス、バルコニーの手すりの上部に設けられ互いに連接して張設可能なシート状の樹脂製又は布製のフェンス素材であって、点列又は散在する通気孔と縁部に設けられた連接用孔とを有し、
前記連接用孔にはその縁補強部が設けられているフェンス素材。
【請求項２】
周縁部に金属製ワイヤが設けられていることを特徴とする請求項１に記載のフェンス素材。
【請求項３】
請求項１又は２に記載のフェンス素材であって、その周縁部に両端が開口した折り返しを有するものであることを特徴とするフェンス素材。
【発明の詳細な説明】
【技術分野】
【０００１】
本発明は、ベランダ、テラス、バルコニーの手すりの上部に張設可能なフェンス素材に関する。
【背景技術】
【０００２】
戸建住宅や集合住宅に設けられるベランダ、テラス、バルコニー等においては、その縁部に立設する手すりが設けられており、その高さは１ｍ程度のものが多く存在する。このような形態のベランダ等は、風雨、直射日光あるいは外部の人目にさらされ、また、ベランダ等に面した窓部を通して屋内の家人の挙動が人目につき易い。このため、外部の人目、直射日光を遮るため等の遮蔽手段が種々提案されている。
【０００３】
例えば、特許文献１に、ベランダの天隅部とフェンスの手摺部分との間に架け渡す一対の支持用ポールと、該支持用ポール間を上部で連結して間隔の調節を自在とする接続バーとでフレームを形成し、このフレーム間に網目シェードシートを張設してなる日除け装置が提案されている。この日除け装置は、ベランダ空間の任意箇所に簡単に設置可能で邪魔にもならず、外観を損なうことなく遮蔽効果及び通気性が得られるとされる。
【０００４】
特許文献２に、バルコニー等に互いに対向状に配置される側面より見て略倒L形の案内レール兼用フレームと、左右両側縁に両フレームにスライド自在に案内される被案内部材が所定間隔おきに備えられ、かつバルコニー等の上面及び全面の少なくとも一部を覆う折りたたみ可能な被覆部材とよりなる簡易フード装置が提案されている。この簡易フード装置は、日除け及び目隠しに有効で、風雨を防ぐことができるとされる。
【０００５】
特許文献３に、空間域内と屋外とを連通する開口部を構成する上縁材と下縁材のそれぞれに、レールなどの案内材を設け、該案内材に、連結手段によって互いに連結する、ルーバーなどの一対の目隠しパネルを、直列に並べて組付けた、ベランダ等の居住空間域装置が提案されている。この居住空間域装置は、目隠しパネルを自在に移動させることができるから、開口部の自由な位置に一対の隠しパネルを連結状態或いは分離状態で配置して使用することができるとされる。
【０００６】
また、特許文献４に、建物のベランダに設けられ、風雨等からベランダ内を保護する防護装置であって、ベランダの天井部の外端縁に沿って付設した収納部と、この収納部に収容し得るシャッターとを備え、上記シャッターを、収納部に収容された収納姿勢と、この収納部から垂下してベランダ内への風雨等の侵入を防止する防護姿勢とに切り換え可能に構成したベランダ用防護装置が提案されている。このベランダ用防護装置は、風雨や降雪などの侵入を防止してベランダ内の洗濯物などを保護でき、更には、室内への直射日光を和らげることができるうえ、防犯効果も備えるとされる。
【先行技術文献】
【特許文献】
【０００７】
【特許文献１】特開2003-41727号公報
【特許文献２】実開平02-77201号公報
【特許文献３】特開2007-63860号公報
【特許文献４】特開2002-173975号公報
【発明の概要】
【発明が解決しようとする課題】
【０００８】
特許文献１〜４に示すように、ベランダやバルコニー等に設けられる従来の日除け装置、簡易フード装置、ベランダ等の居住空間域装置あるいはベランダ用防護装置は、遮光や目隠しを主目的としており、ベランダやバルコニー等の前面、すなわち、ベランダに面した窓部に対向する面に設けられている。しかしながら、ベランダやバルコニー等が戸建住宅や集合住宅の一階又は二階等に設けられたものである場合は、道路に面している場合も多く、上記特許文献に記載された従来の日除け装置等では容易に外部の人の侵入を許す恐れがある。このため、防犯機能を有するものが求められている。
【０００９】
特許文献４に記載のベランダ用防護装置は、防犯機能を有するとされるが、巻き取り又は引き出しされるシャッターは、ベランダ前面部に設けられる形態のものであり、ベランダの周囲に設けることができる形態のものについては何らの説明もない。ベランダの形状、大きさは種々雑多であるから、このようなベランダ用防護装置に防犯機能をもたせるのは容易でなく、装置及び施行コストが高価になるおそれがある。
【００１０】
また、特許文献２〜３に記載する簡易フード装置等に示されるように、これらのベランダ用装置を装備するには、遮蔽用の被覆部材、目隠し部材あるいはシャッター等を取付け及び案内するフレーム部材を建物に取り付けなければならず、建物の工事を伴うので簡単に装備することができない。また、このようなベランダ用装置では、種々の形状、大きさのベランダに対応するのは容易でない。
【００１１】
本発明は、このような従来の問題点及び要請に鑑み、また、ベランダ用装置に完全な防犯機能を持たせることは本来的に困難であることを考慮し、ベランダ等に簡便に装備することができ、日光や人目からの遮蔽性に優れるとともに風通しもよく、外部の人のベランダ等への侵入を躊躇させることができるソフトフェンスに用いられるフェンス素材を提供することを目的とする。
【課題を解決するための手段】
【００１２】
本発明に係るフェンス素材は、ベランダ、テラス、バルコニーの手すりの上部に設けられ互いに連接して張設可能なシート状の樹脂製又は布製のフェンス素材であって、点列又は散在する通気孔と縁部に設けられた連接用孔とを有し、前記連接用孔にはその縁補強部が設けられている。
【００１３】
上記発明において、周縁部に金属製ワイヤが設けられているのがよい。
【００１４】
前記フェンス素材において、周縁部に両端が開口した折り返しを有するものとすることができる。
【発明の効果】
【００１５】
本発明のフェンス素材は、ベランダ等の手すりの上部に連接して張設可能であり、種々の形状及び大きさのベランダ等に張設することができる。そして、このフェンス素材により、ベランダ等に簡便に装備することができ、日光や人目からの遮蔽性に優れるとともに風通しもよく、外部の人のベランダ等への侵入を躊躇させることができるソフトフェンスを張設することができる。
【図面の簡単な説明】
【００１６】
【図１】本発明に係るソフトフェンス素材を使用し施工したソフトフェンスの実施例の説明図である。
【図２】本発明に係るフェンス素材の模式図である。
【図３】本発明に係るフェンス素材の連接用孔部の他の実施例と、支柱と連接される部分の他の実施例の模式図である。
【図４】本発明に係るフェンス素材を連結する連結部材の実施例を示す模式図である。
【図５】連結部材を装着した本発明に係るフェンス素材の実施例を示す模式図である。
【図６】側縁部に補強板を設けた本発明に係るフェンス素材の実施例を示す模式図である
【図７】本発明に係るフェンス素材の他の実施例を示す模式図である。
【発明を実施するための形態】
【００１７】
以下、本発明を実施するための形態について図面を基に説明する。本発明に係るフェンス素材は、これを連接して、図１に示すようにベランダの手すりの上部に張設される。すなわち、本フェンス素材は、ベランダの手すり50の上部にシート状の樹脂製又は布製からなるフェンス素材10が連結部材20により互いに連接して張設され、その両端部は連結部材20により支柱30に取り付けられている。このフェンス素材を使用することによって、外部の人がベランダ等に侵入するのを躊躇させるソフトフェンスを容易に張設することができる。本発明において、ソフトフェンスとは、本発明のフェンス素材を用いて設けられたフェンスを言う。
【００１８】
フェンス素材10は、図２に示すように、シート状で樹脂製又は布製からなり、テント地あるいは帆布などの素材を使用することができる。また、フェンス素材10は、ガラス繊維などで繊維強化されたものを使用することができ、フェンス素材10の周縁（10a、10b、10c）に金属製ワイヤを埋め込みあるいは縫い込むことができる。これらにより、フェンス素材10の強度、防犯性を向上させることができる。
【００１９】
フェンス素材10は、シート面に通気孔13が設けられている。通気孔13は、外径が10〜50mm程度とされ、円形又は角形を問わず、図２に示すように点列したものであっても、また、散在して存在するものであってもよい。フェンス素材10は、通気性に優れるとともに遮光性を有するものであればよい。
【００２０】
また、フェンス素材10は、縁部に連接用孔15が設けられている。連接用孔15は、フェンス素材10が左右方向に連接される場合の連接用孔15A、上下方向に連接される場合の連接用孔15Bを設けることができる。一般的なベランダにおいては、フェンス素材10を左右に連接して使用する場合が多い。しかし、ベランダの形態によっては、フェンス素材10を上下に連接して使用する場合もあり、また、フェンス素材10の下端部を手すり50に固定するような使用方法もあるので、フェンス素材10の左右及び上下の縁部に連接用孔15（15Aと15B）を設けたものも有用である。
【００２１】
連接用孔15は、フェンス素材10を相互に連接したときに連結部材20を通じて力がかかる部分であり、その縁部は十分な強度を有するものであるのがよい。このため、フェンス素材10の縁部（上縁部10a、下縁部10b、側縁部10c）は、図２に示すように、折り返し構造にするのがよい。また、連接用孔15は、例えば、金属製の鳩目により形成し、あるいはかがり縁にすることにより縁補強部を設けるのがよい。
【００２２】
連接用孔15は、図３に示すように、フェンス素材10のシート面の一の縁部（側縁部10c）から張り出させた袖部12（12A）に設けることができる。また、フェンス素材10を支柱30に取り付け易くするために、図３に示すような袖部12（12B）を設けることができる。なお、袖部12Bには、以下に説明するフック28（28ａ、28ｂ）が設けられ、支柱30に取り付けやすいようになっている。また袖部12Bは、ゴムバンドのような弾性を有するものが支柱30に取り付けやすく好ましい。
【００２３】
上記フェンス素材10は、通常は標準サイズのフェンス素材10Aが連接して使用されるが、ベランダの形態によっては標準サイズのフェンス素材10によりベランダの周囲を囲むことが困難な場合がある。このため、図１に示すようなつなぎのフェンス素材10Bを設けるのがよい。フェンス素材10Bのサイズは、一種又は数種類のものを設けることができる。なお、本フェンス素材10は、柔軟性、可撓性があるので図１に示すように、支柱30を回り込むように使用することができる。
【００２４】
連結部材20は、樹脂製又は布製の紐状のものを使用することができる。連結部材20は、紐状物に金属製芯材が入ったものであってもよい。これらの連結部材20により、フェンス素材10を容易、かつ簡便に連接することができる。
【００２５】
連結部材20は、図４に示す形態のものを使用することができる。例えば、オス型のフック27aとメス型のフック27bからなるフック27を使用することができる。これに対し、フェンス素材10の袖部12Bに設けるものは、オス型のフック28aと複数のメス型のフック28bからなるフック28を使用するのがよい。なお、フックの形状は適宜好適なものを使用することができる。
【００２６】
支柱30は、ベランダの手すり50又は柵に取り付けられ、連結部材20によりフェンス素材10を容易に取り付けることができるものであればよい。なお、ベランダの構成部材あるいは建物の一部を支柱30として使用することができ、本フェンス素材10は、このようなものにも容易に取り付けることができる。
【００２７】
以上、本発明に係るフェンス素材について説明した。本発明に係るフェンス素材は、これを連接することにより、容易かつ簡便に種々の形態のベランダの周囲を囲むことができるソフトフェンスを張設することができる。このソフトフェンスの張設においては、ベランダに特別の加工を施す必要もない。すなわち、本発明によれば、日光や人目からの遮蔽性に優れ風通しがよいばかりでなく、外部からの人のベランダへの侵入を躊躇させる防犯性に優れたソフトフェンスを容易に張設することができる。
【００２８】
しかしながら、本発明は、上記の実施例に限定されない、例えば、図２に示すフェンス素材10において、上縁部10aの折り返し部分の両端部を開口させたものにすることができる。このフェンス素材10は、連接するフェンス素材10に長尺の竿部材を刺し通すことによって一体にすることができ、バタつきがなく強度のあるソフトフェンスを張設することができる。なお、竿部材は平板状でも丸棒状でもよく、樹脂製又は金属製で強度、剛性があるものがよい。必要に応じて上縁部10aと同様に下縁部10b、側縁部10cの折り返し部分の両端部を開口させ、ここにも長尺の竿部材を刺し通すことができるようにしてもよい。
【００２９】
また、フェンス素材は、図５に示す実施例のものとすることができる。本例のフェンス素材10は、図２に示すフェンス素材10の連結用孔部分が異なり、一の側縁部10cの裏面に上記フック27aが縫い付け又は接着等により設けられ、対向する他の側縁部10cから張り出させた袖部12（12A）にフック27bが設けられている。これにより、フェンス素材の連接作業が容易になるという利点がある。なお、図２に示す形態のフェンス素材において、連接用孔の代わりに、上記のようなフック27を使用した形態のものにすることができる。
【００３０】
また、フェンス素材は、図６（ａ）左側図に示す実施例のものとすることができる。本例のフェンス素材10は、フェンス素材10の側縁部10cに図２に示すような折り返し構造を有していなく、この部分に補強板25（25A）が接合、あるいは接合可能になっている。接合可能とされる場合は、例えばシート面部とは独立した補強板25と両面接着テープが用意され、あるいはシート面部とは独立した補強板25とネジが用意され、補強板25をシート面部に接着又はネジ止めすることによって上記に示す構成のフェンス素材10を形成することができる。
【００３１】
この補強板25には、フェンス素材10を連接するための孔16が設けられている。補強板25の材質は、特に限定されず、布、樹脂、木、アルミニウムあるいはステンレス等を使用することができる。また、補強板25は、一枚タイプのものでもよく、図６（ｂ）に示すように補強板25がシート面部の表裏に使用された二枚タイプのものでもよい。本例のフェンス素材10は、バタつきのないソフトフェンスを張設することができるという利点を有する。
【００３２】
また、補強板は、図６（ａ）右側図に示す形状の補強板25Bを使用することができる。このようにフェンス素材10のシート面部から突出した部分を有し、孔17を有する補強板25Bは、フェンス素材10を支柱30に取付けるのが容易になるという利点がある。また補強板25B自体を支柱30の代用とすることができる。
【００３３】
さらに、フェンス素材は、図７に示すものであってもよい。本例のフェンス素材10は、図２に示すような連接用孔15がない。フェンス素材10は、相隣るフェンス素材10が相互に連結板26とフック27により接合されて連接されるようになっている。連結板26によるフェンス素材相互の接合は、フック27の代わりにボルトとナット、連結板26の一方に雌ネジが切ってあればボルトのみで行うことができる。このフェンス素材10は、長尺のものを用意すれば、必要に応じて切断して使用することにより、つなぎのフェンス素材10Bを簡便に提供することができる利点がある。また、このフェンス素材10によれば、ａ寸法を調整することにより、ソフトフェンスの張設を容易にすることができ、フェンス素材10のバタつきのないソフトフェンスを張設することができる利点がある。なお、連結板26の材質は布、樹脂、木、アルミニウムあるいはステンレス等を使用することができる。
【００３４】
上記の実施例では、ベランダの手すりの上部にソフトフェンスを取り付ける例を示したが、テラス、バルコニーの手すりにも使用することができることは当然である。
【符号の説明】
【００３５】
10    フェンス素材
12    袖部
13    通気孔
15    連接用孔
16、17    孔
20    連結部材
25    補強板
26    連結板
27、28    フック
30    支柱
50    手すり
【図１】
2014201869.tif 000003
【図２】
2014201869.tif 000004
【図３】
2014201869.tif 000005
【図４】
2014201869.tif 000006
【図５】
2014201869.tif 000007
【図６】
2014201869.tif 000008
【図７】
2014201869.tif 000009